(57)【要約】【課題】床を利用した輻射空調に用いられる噴流ノズル及びこれを用いた輻射空調構造に関し、効率よく輻射空調が行えるとともに施工性及び経済性に優れた輻射空調用の噴流ノズル及び輻射空調構造を提供することを課題とする。【解決手段】側部に導入ダクト６４からの空調空気導入口１４が設けられ、上部に向けて断面がテーパ状に広がったノズル部材４と、上記ノズル部材４の上部に被せられ、上方に配置される床材６６に向けて空調空気を噴出する噴出孔部７が周囲に複数設けられた天板６と、ナットを高さ調整可能に取付けた支持脚８とを有し、上記支持脚のナットの上部に、上記ノズル部材を高さ調整可能に配置した構成である。【選択図】図１
2012017964.tif 000002
【特許請求の範囲】
【請求項１】
側部に導入ダクトからの空調空気導入口が設けられ、上部に向けて断面がテーパ状に広がったノズル部材と、
上記ノズル部材の上部に被せられ、上方に配置される床材に向けて空調空気を噴出する噴出孔部が周囲に複数設けられた天板と、
ナットを高さ調整可能に取付けた支持脚とを有し、
上記支持脚のナットの上部に、上記ノズル部材を高さ調整可能に配置したことを特徴とする輻射空調用の噴流ノズル。
【請求項２】
上記ナットを、板状ナットとしたことを特徴とする請求項１記載の輻射空調用の噴流ノズル。
【請求項３】
上記支持脚の上部に、上記床材を支持する床支持部材を高さ調整可能に取り付けたことを特徴とする請求項１又は２記載の輻射空調用の噴流ノズル。
【請求項４】
上記天板の噴出孔部の近傍に、この噴出孔部から吹き出される空調空気の向きを外向きかつ斜め上方に導くガイド片を設けたことを特徴とする請求項１，２又は３記載の輻射空調用の噴流ノズル。
【請求項５】
上記天板の上部に、この天板と同様な位置に噴出孔部を設けた移動天板を配置し、上記天板に対してこの移動天板を回転移動させることにより、両噴出孔部によって形成される開孔部の大きさを変化させ、この開孔部を通過する空調空気の風量を調整可能にしたことを特徴とする請求項１，２又は３記載の輻射空調用の噴流ノズル。
【請求項６】
床スラブ上に空調空気を流通させる空調ダクトを配置し、この空調ダクトに空調空気を導入する導入ダクトを連結し、この導入ダクトの他端部を請求項１乃至５の何れかに記載の噴流ノズルの上記空調空気導入口に連結し、
上記導入ダクトを経由して上記噴流ノズルの噴出孔部から噴出される空調空気を、上記床材の裏面部に向けて吹きつけることで輻射冷暖房を行うことを特徴とする輻射空調構造。
【発明の詳細な説明】
【技術分野】
【０００１】
本発明は、床を利用した輻射空調に用いられる噴流ノズル及びこれを用いた輻射空調構造に関する。
【背景技術】
【０００２】
近年、床下から床面を温め（或いは冷却）、床面からの輻射熱（冷輻射）により室内の
空調を行う輻射空調構造が行われている。これは、床下に配置した空調空気を送るダクト等に設けた多数の噴流ノズルから空調空気を床面に向けて吹き出し、床面を冷暖しその輻射効果を利用するものである。
この輻射空調構造においては、良好な輻射熱効果を得るために、噴流ノズルの上端部を床下面から離れない位置に配置し、空調空気を床下面に効率よく吹き付ける必要がある。【０００３】
ここで例えば、特許文献１に記載の冷暖房システムにおける熱媒体拡散部材（噴流ノズル）は図６に示すように、噴射ノズル８０の上部の円錐状の変換部材８２が冷暖房室の区画面８９（裏面）に接触するように取付けることが提案されている。この噴射ノズル８０はノズル取付金具８４を用いて取り付けられ、このノズル取付金具８４は、補強金具８６を湾曲した矩形の金属製の平板８７の中央に取り付けた形状である。【０００４】
上記ノズル取付金具８４は、根太や軽量鉄骨に、湾曲して凸になった側を区画面側に向けて取り付ける。そして、ノズル取付金具８４の挿通孔８５に噴流ノズル８０の風導部８１の円筒を挿通し、固定リング８３を補強金具８６に接触して止める。この後に、区画面８９を形成する仕上げ材を根太に敷設すると、ノズル取付金具８４が板バネのようにたわんで、各噴流ノズル８０の変換部材８２の上端部が仕上材の下面に押し付けて、床下面に接触するように取付けるものである。【０００５】
また特許文献２に記載の輻射冷暖房システムは、表層板と裏板との間に気体の熱媒体を流通させる熱媒体流通空間が形成された冷暖房室を区画する仕切りパネルを用い、この熱媒体流通空間に熱媒体を流通させるものであり、ここでは仕切りパネルを支持脚で支え、また上面が開放された直方体状のチャンバーをばねで上方に付勢し、上記熱媒体流通空間内に熱媒体を効率よく導入するようにしている。
【先行技術文献】
【特許文献】
【０００６】
【特許文献１】特開２００８−２９２０７１号公報
【特許文献２】特許第４３２７７９２号公報
【発明の概要】
【発明が解決しようとする課題】
【０００７】
さて、特許文献１に記載のノズル取付金具は、根太や軽量鉄骨に取り付ける必要があり、また撓みの程度を弾性変形の範囲内として調整する必要があるため施工に手間を要するという問題がある。
また、特許文献２に記載の輻射冷暖房システムは、表層板と裏板との間に熱媒体流通空間が形成された仕切りパネルを用いるため、熱媒体の流通機構或いは仕切りパネルの構造が複雑になり製造面、コスト面で実用性に乏しく、また施工も複雑であるという問題がある。【０００８】
本発明は上記問題点を解決するためになされたものであり、効率よく輻射空調が行えるとともに施工性及び経済性に優れた輻射空調用の噴流ノズル及び輻射空調構造を提供することを目的とする。
【課題を解決するための手段】
【０００９】
以上の技術的課題を解決するため、本発明に係る輻射空調用の噴流ノズルは、図１，４等に示すように、側部に導入ダクト６４からの空調空気導入口１４が設けられ、上部に向けて断面がテーパ状に広がったノズル部材４と、上記ノズル部材４の上部に被せられ、上方に配置される床材６６に向けて空調空気を噴出する噴出孔部７が周囲に複数設けられた天板６と、ナットを高さ調整可能に取付けた支持脚８とを有し、上記支持脚のナットの上部に、上記ノズル部材を高さ調整可能に配置した構成である。【００１０】
本発明に係る輻射空調用の噴流ノズルは、上記ナットを、板状ナット３６とした構成である。【００１１】
本発明に係る輻射空調用の噴流ノズルは、上記支持脚８の上部に、上記床材６６を支持する床支持部材１０を高さ調整可能に取り付けた構成である。【００１２】
本発明に係る輻射空調用の噴流ノズルは、上記天板６の噴出孔部７の近傍に、この噴出孔部から吹き出される空調空気の向きを外向きかつ斜め上方に導くガイド片２６を設けた構成である。【００１３】
本発明に係る輻射空調用の噴流ノズルは、上記天板６の上部に、この天板と同様な位置に噴出孔部５７を設けた移動天板５６を配置し、上記天板６に対してこの移動天板５６を回転移動させることにより、両噴出孔部７，５７によって形成される開孔部５８の大きさを変化させ、この開孔部を通過する空調空気の風量を調整可能にした構成である。【００１４】
本発明に係る輻射空調構造は、図４に示すように、床スラブ上に空調空気２４を流通させる空調ダクト６２を配置し、この空調ダクトに空調空気を導入する導入ダクト６４を連結し、この導入ダクト６４の他端部を上記何れかに記載の噴流ノズル２の上記空調空気導入口１４に連結し、上記導入ダクト６４を経由して上記噴流ノズルの噴出孔部７から噴出される空調空気２４を、上記床材６６の裏面部に向けて吹きつけることで輻射冷暖房を行う構成である。
【発明の効果】
【００１５】
本発明に係る輻射空調用の噴流ノズルによれば、導入ダクトからの空調空気導入口が設けられ断面がテーパ状のノズル部材、噴出孔部が周囲に複数設けられた天板、支持脚を有し、支持脚のナットの上部にノズル部材を高さ調整可能に配置した構成を採用したから、空調ダクトの配置による影響を受けずに、希望する位置に噴流ノズルを配置してその位置の床材に空調空気を吹きつけることができるため、室内をより効率よく輻射冷暖房が行え、また噴出孔部から空調空気を床材に勢いよくかつ広い範囲に均一に吹き付けることができるため、室内を効率的に輻射冷暖房することができ、さらに噴流ノズルの高さの調整も容易に行え、また噴流ノズルの取り付けが簡単で施工性にも優れるという効果を奏する。【００１６】
本発明に係る輻射空調用の噴流ノズルによれば、ナットを、板状ナットとしたから、噴流ノズルの高さの調整が手作業などにより容易に行えるという効果がある。【００１７】
本発明に係る輻射空調用の噴流ノズルによれば、支持脚の上部に、床材を支持する床支持部材を高さ調整可能に取り付けた構成としたから、ノズル部材の保持に加えて床材についても高さ調整可能に支持できることから、専用の支持脚が削減され、効率的に床材の支持及び空調が行えるという効果がある。【００１８】
本発明に係る輻射空調用の噴流ノズルによれば、天板の噴出孔部の近傍に、空調空気の向きを外向きかつ斜め上方に案内するガイド片を設けた構成としたから、噴出孔部から吹き出される空調空気が斜め上方（外向き）に有効に導かれて広い範囲まで行き渡り、空調効率が高められるという効果がある。【００１９】
本発明に係る輻射空調用の噴流ノズルによれば、天板の上部に移動天板を配置し、開孔部の大きさを変化させ、この開孔部を通過する空調空気を調整可能にしたから、空調空気の風量により噴出孔部の開孔部の大きさを変えることにより、この開孔部から吹き出される空調空気の風速風量を加減することができ、床材の裏面部の全体に有効に空調空気が行きわたるように調整することができ空調効率が高められるという効果がある。【００２０】
本発明に係る輻射空調構造によれば、空調ダクトに導入ダクトを連結し、この導入ダクトの他端部を上記噴流ノズルの空調空気導入口に連結し、噴流ノズルの噴出孔部から噴出される空調空気を床材の裏面部に向けて吹きつける構成を採用したから、導入ダクトを介することで空調ダクトの配置による影響を受けずに、希望する位置に噴流ノズルを配置することができ、その上方の床材に空調空気を吹きつけることができるため、室内をより効率よく輻射冷暖房が行え、また噴出孔部から空調空気を床材に勢いよくかつ広い範囲に均一に吹き付けることができるため、室内を効率的に輻射冷暖房することができ、さらに噴流ノズルの高さの調整が板状ナットにより容易に行え、また噴流ノズルの取り付けが簡単で施工性にも優れるという効果を奏する。
【図面の簡単な説明】
【００２１】
【図１】本発明の実施の形態に係る輻射空調用の噴流ノズルを示す図である。
【図２】実施の形態に係る輻射空調用の噴流ノズルの分解斜視図を示す。
【図３】実施の形態に係る噴流ノズルの天板の他の形態を示す図である。
【図４】実施の形態に係る噴流ノズルを取り付けた輻射空調構造を示す図である。
【図５】実施の形態に係る噴流ノズルの断面及び空調空気を吹き出す状態を示す図である。
【図６】従来例に係る冷暖房システムにおける熱媒体拡散部材を示す図である。
【発明を実施するための形態】
【００２２】
以下、本発明の実施の形態を図面に基づいて説明する。
図１，２及び４は、輻射空調用（冷暖房）の噴流ノズル２を示したものである。
この噴流ノズル２は、空調空気（暖気或いは冷気）を取り込み噴き出す円錐状のノズル部材４、上記ノズル部材４の上部に被せられ噴出孔部７が設けられた天板６と、上記ノズル部材４を支持する支持脚８、この支持脚８の上部に取付けられる床支持部材１０、及び床支持部材１０の上部に配置される床保持具１２を有している。
上記噴流ノズル２は、床材６６の裏面部６７に空調空気を吹きつけるノズルの機能、及び床パネル等の床材６６を支持する機能を備えている。
【００２３】
上記ノズル部材４は、上部に向けて断面がテーパ状（ラッパ状）に広がった中空の円錐形状をなし、鋼板からなるものである。また、このノズル部材４の側面部に設けられた孔部１３には、円筒状の鋼製の空調空気導入口１４が取り付けられている。この空調空気導入口１４は、導入ダクト６４と連結して空調空気を導入する。この空調空気導入口１４は、ノズル部材４との接合部にはフランジ１６が形成され、スポット溶接又はかしめにより接合されている。
【００２４】
また、空調空気導入口１４は、ノズル部材４の側面部に対して直交する向きに取り付けられ、その中心線の方向は天板の中央部に向かっている。そして、ノズル部材４の上端部（円形縁）の周囲には外向き水平に環状のフランジ部１８が形成されている。また、ノズル部材４の下端部には円形の開口部１９が形成され、この開口部１９の周囲には水平な環状の載置部２０が形成されている。
なお、上記空調空気導入口１４はノズル部材４の側面部に水平又は水平に近い向きに取り付けても良く、これにより、床下空間部が比較的狭い場合であっても、この空調空気導入口に対して導入ダクト６４が横向きに円滑かつ効果的に取り付けられる。
【００２５】
上記天板６は円板状の鋼板からなり、中央部には孔部２２が設けられ、周囲部（上記フランジ部１８の内側の位置）には天板６と同一中心の円周上に一定間隔で円弧形状（一定幅）の噴出孔部７が複数形成されている。
この天板６は、ノズル部材４のフランジ部１８とは外径が略同じであり、スポット溶接又はかしめ等により天板６の周囲部がフランジ部１８の上部と接合されている。
このように、天板６はノズル部材４の上部に被せられ、天板６に設けられた各噴出孔部７から上方に配置される床材６６の裏面部６７に向けて空調空気を吹きつける。
【００２６】
上記ノズル部材４の上記円錐状の風導形態によれば、空調空気導入口１４から導入された空調空気２４の流れが斜め上方に広がる方向にガイドされ、天板６の各噴出孔部７から斜め上方に噴き出されることから、上方の床材６６の広い範囲にわたり均一に空調空気を吹き付けることができる
【００２７】
上記支持脚８は、正方形の鋼板からなる台座３０の中央部に支持ボルト３２が立設された形状である。この台座３０の中央部には孔部が設けられ、この孔部に支持ボルト３２の下端部が突入した状態で両者は溶接或いはかしめにより接合されている。
また台座３０には、４角部の近傍など周囲部には、それぞれ小さな孔部３１が設けられている。また、台座３０の中央部にはボスが星状に形成されたリブ部３４が設けられている。
上記支持ボルト３２は、円柱状の鋼材からなり、全体に螺子溝が刻設されている。
【００２８】
上記支持脚８の支持ボルト３２には、板状ナット３６及び円形ナット３８が螺合されており、また円形ナット３８の上部にはワッシャー４０が介在されている。
この板状ナット３６は、長方形状の鋼板からなり、その中央部には螺孔４２が設けられた形状である。なお、この板状ナット３６は、手作業による回転操作を容易にするため長方形状にしているが、これは他に四角形、三角形、円形など手で操作可能な大きさ、形状のものであれば利用可能である。また、この板状ナット３６に替えて通常のナット（六角ナットなど）を用いることとしてもよい。
上記円形ナット３８は、中央に螺孔４４が設けられた中空円板状の鋼材であり、またワッシャー４０は中空円板状の鋼材である。
【００２９】
上記床支持部材１０は鋼材からなり、円筒状の支持部４６とこの支持部の上端部に設けられた円板状の受け部４８を有している。この支持部４６は、その先端部が上記受け部４８の中央部に設けられた孔部に突入した状態で溶接或いはかしめによって接合されている。
また支持部４６は、中央部から下半部分の筒内部には螺子溝４７が刻設され、この下半部分の外径に比べて上半部分の外径が太く形成されている。この床支持部材１０は、支持脚８の支持ボルト３２の上部に螺着されその高さ調整が可能である。
【００３０】
上記床保持具１２は、合成樹脂材からなり、円板状の載置部５０の上部に十字状の仕切片５２が一体に立設形成された形状である。この床保持具１２は、床支持部材１０の受け部４８の上部に配置され、接着等により固定される。
【００３１】
さて、上記噴流ノズル２の組立てに際しては、予めノズル部材４に天板６を固定しておく。そして、支持脚８の支持ボルト３２に板状ナット３６及び円形ナット３８を螺着し、この上部にワッシャー４０を嵌め、この上部に支持ボルト３２の上から嵌めたノズル部材４をその載置部２０を載せて配置する。
【００３２】
さらに、天板６の中央の孔部２２から床支持部材１０の支持部４６を挿入し、この支持部４６を支持脚８の支持ボルト３２に螺合する。そして、この床支持部材１０の高さを調整する。
床支持部材１０の高さが定まれば、支持ボルト３２に螺合した板状ナット３６（及び円形ナット３８）を回して上方（ワッシャー４０とともに）に移動させ、床支持部材１０の下端部と板状ナット３６（及び円形ナット３８）との間にノズル部材４の載置部２０及び下部のワッシャー４０を挟持した状態で高さを固定する。この円形ナット３８と板状ナット３６との組み合わせにより、板状ナット３６の緩みが阻止される。
【００３３】
この噴流ノズル２は、床支持部材１０の高さ、及びこれに伴うノズル部材４の高さ位置を自在に調整することができる。この場合は、板状ナット３６（及び円形ナット３８）を緩め、支持脚８に螺着される床支持部材１０を回してその高さ位置を調整し、板状ナット３６（及び円形ナット３８）を再度締付けてノズル部材４を挟持し固定する。
【００３４】
上記噴流ノズル２は、床支持部材１０の位置に対して、この受け部４８の少し下方にノズル部材４の天板６が位置している。
なお、例えば、受け部４８に対してノズル部材４の位置を上下に加減したい場合には、床支持部材１０の下端部とノズル部材４の載置部２０との間に、別途ワッシャー等を介在させるようにすればよい。
【００３５】
ここで、上記噴流ノズル２の天板６の噴出孔部に関する他の形態について説明する。
図３に示す噴流ノズル２（平面図）は、上記天板６の上に、重ねて回転移動可能な移動天板５６を配置したものである。なおここでは天板６は、これに設けた固定部２１によりノズル部材４のフランジ部に止着されている。
上記移動天板５６は円形の鋼板からなり、上記天板６と同様、中央部には孔部５４が設けられ、周囲部にはこの移動天板と同一中心の円周上に一定間隔で円弧形状（一定幅）の噴出孔部５７が複数形成されている。
【００３６】
ここで、移動天板５６の噴出孔部５７は、上記天板６に設けた噴出孔部７と同じ位置に同じ間隔で設けられ、両噴出孔部同士が重合するように形成されている。この場合、噴出孔部７（噴出孔部５７）は、周方向に隣り合う噴出孔部７（噴出孔部５７）間の間隔を十分（噴出孔部７の周方向の長さと同程度に）に確保しておくのが効果的である。
【００３７】
そして、作業者の手により、天板６に対して移動天板５６を回転させることで、上記噴出孔部７に対してこの移動天板５６の噴出孔部５７の重なりの程度が変化し、両噴出孔部７，５７同士が連通する開孔部５８（図中の斜線部分）が形成される。このように、移動天板５６の回転操作により開孔部５８の大きさを調整することができる。
空調空気２４の風量に応じて、上記開孔部５８の大きさを変えることにより、この開孔部５８から吹き出される空調空気の風速及び風量を加減することができ、床材６６の裏面部６７の希望する範囲の全体に空調空気が行きわたるように調整することができる。
上記移動天板５６を調整した後は、この移動天板５６の中央部を上記床保持具１２等で押えて固定する。
【００３８】
また、上記噴流ノズル２の噴出孔部７には、下記（図５など）に示すように、この噴出孔部７の端部を切り起こした形状のガイド片２６を設けることができる。このガイド片２６は、噴出孔部７を形成する際、天板６の該当箇所を断面コ字状（中心寄りの箇所を残して）に切り欠き、この切り欠いた片を曲げて斜め上方（ノズル部材４と同程度の傾斜）に向けたものである。
【００３９】
このガイド片２６によれば、噴出孔部７から吹き出された空調空気が、斜め上方（外向き）に導かれて広い範囲まで行き渡るようになる。
上記ガイド片２６は、上記噴出孔部７の全部或いは一部に設ける。また、上記ガイド片２６は、上記断面コ字状に切り欠いた片を内側に屈曲した（ノズル部材４と同様の傾斜）形状としても良い、この場合においても、空調空気が斜め上方（外向き）に導かれる。
【００４０】
図４は、上記噴流ノズル２を用いた床下の輻射空調構造を示したものである。
この輻射空調構造は、床スラブに配置される空調ダクト６２、所定間隔をおいて配置される上記噴流ノズル２、床支持脚６３、噴流ノズル２に空調空気を導入する導入ダクト６４などを有している。また、上記噴流ノズル２及び床支持脚６３により床面を形成する床材６６が支持されている。
【００４１】
上記空調ダクト６２は、冷暖房などの空調空気を送出する主ダクト及びこの主ダクトから分岐された分岐ダクトからなる。主ダクトは床部の周辺部に、また分岐ダクトは主ダクトから複数分岐して床部の全範囲にそれぞれ配置される。
これら空調ダクト６２は鋼材からなり、サイドカバー６８、上板６９、及び位置決め部材７０等を有する。このサイドカバー６８は断面コ字状で、基板部７２の両端部が直角に屈曲された上フランジ部７４及び下フランジ部７５からなる。上記上板６９は、長尺の板材である。
【００４２】
この空調ダクト６２は、床スラブに敷設したシート状の断熱材６０の上部に設置する。
空調ダクト６２は、所定の長さのサイドカバー６８を一定の間隔をおいて向き合わせて配置し、位置決め部材７０を両下フランジ部７５，７５の上部間に配置し、アンカー金具７６等を用いて床スラブに固定する。
そして、両サイドカバー６８，６８の上フランジ部７４，７４間に、平板状の上板６９を配置しビス等の止着具を用いてこれを上フランジ部７４に固定する。
上記導入ダクト６４は、コイルバネの周囲を不燃性の箔（アルミニウム箔など）で覆った屈曲自在なダクトである。
【００４３】
上記床支持脚６３は、上記噴流ノズル２からノズル部材４を除いた形態であり、基本的な支持構造は同じである。このため床支持脚６３は、支持脚８の支持ボルト３２に、板状ナット３６及び円形ナット３８を螺合させ、また円形ナット３８の上部にワッシャー４０を介在させ、支持ボルト３２の上部に床支持部材１０を螺合した形状となる。
床支持脚６３の高さ調整に際しては、床支持部材１０を回してその高さ位置を調整し、高さが定まれば、ワッシャー４０を介在させた状態で円形ナット３８及び板状ナット３６を回して床支持部材１０の下端部に締付ける。
【００４４】
上記床材６６は、正方形状（又は矩形状）の板（パネル）材であり、４角部はそれぞれ切欠かれた形態である。この床材６６は鋼材からなるが、他に合成樹脂材、合成木材（木材と合成樹脂との混合材）等が用いられる。
【００４５】
ここで、噴流ノズル２を用いた床下の輻射空調構造の施工について説明する。
まず、床スラブ上に、所定間隔をおいて噴流ノズル２及び床支持脚６３を例えば交互に配置する。上記噴流ノズル２及び床支持脚６３は、それぞれ支持脚８の台座３０を止着具或いは接着剤を用いて床スラブに固定する。
【００４６】
噴流ノズル２は空調ダクト６２の近傍に配置され、この空調ダクト６２のサイドカバー６８に取り付けた空調空気取出口に導入ダクト６４の端部を連結する。一方、この導入ダクト６４の他端部を噴流ノズル２の空調空気導入口１４に連結し、空調ダクト６２からの空調空気を導入ダクト６４を介してノズル部材４の内部に導入する。
【００４７】
また、噴流ノズル２及び床支持脚６３の配置位置は、床材６６の角部（４角部又は２角部）の位置に合致するように設置する。そして、各噴流ノズル２及び床支持脚６３の上部に配置された床保持具１２に床材６６を載置する。
各床材６６は、その角部を噴流ノズル２又は床支持脚６３の床保持具１２の載置部５０に載せて固定する。一つの床保持具１２には、４枚（又は２，３枚）の床材６６の各角部をつき合わせた状態で支持する。また、各床材６６の角部が突合される床保持具１２の中央上部には、円形状のキャップ部材などを取り付けて床面の全体を平坦な状態にする。
そして、床材６６の上部には必要に応じてカーペット等を敷設し、床下からの輻射空調（冷暖房）構造を構築する。
【００４８】
上記輻射空調構造では、冷暖房装置から空調空気２４として暖気（或いは冷気）が空調ダクト６２に送風され、さらに導入ダクト６４を経由して噴流ノズル２のノズル部材４に導入され、この空調空気２４は天板６の各噴出孔部７から上方の床材６６の裏面部６７に向けて噴き出される。
【００４９】
図５は、導入ダクト６４を介して導入された空調空気２４が、噴流ノズル２の噴出孔部７から上方の床材６６の裏面部６７に向けて吹き出される状態を示したものである。この場合、噴出孔部７から斜め上方に吹き出される空調空気２４は、さらにガイド片２６により床材６６の裏面部６７の広い範囲に案内される。
これにより、床材６６は空調空気によって暖められ（或いは冷やされ）、床材６６からの輻射作用（輻射熱、冷輻射等）、熱伝導などにより床材６６を敷設した室内の空調が行われる。
【００５０】
従って、上記実施の形態に係る噴流ノズルによれば、空調ダクトの配置による影響を受けずに、希望する位置に噴流ノズルを配置してその位置の床材に空調空気を吹きつけることができるため、室内をより効率よく輻射冷暖房が行え、またノズル部材のガイドなどにより噴出孔部から空調空気を床材に勢いよくかつ広い範囲に均一に吹き付けることができるため、室内を効率的に輻射冷暖房することができ、さらに噴流ノズルの高さの調整が板状ナットにより容易に行え、また噴流ノズルの取り付けが簡単で施工性にも優れるという効果がある。また、噴流ノズルは床材の支持も行えることから、床材のみの床支持脚が削減されて効率的であり経済性にも優れる。
【００５１】
上記噴出ノズルを用いた輻射空調構造は、体育施設のような大空間から、オフィス、学校、店舗、さらには住宅など幅広い適用が可能である。
【００５２】
なお、上記噴流ノズル２は、床支持部材１０を取り付けて床材６６の支持が可能な形態であるが、この床支持部材１０の無い形態の第二の噴流ノズルも可能である。
この第二の噴流ノズルを用いる場合には、床材６６を支持する箇所には通常の床支持脚６３を用いて床材の支持を行う。
この第二の噴流ノズルは、ノズル部材４を支持脚８で高さ調整自在に支持する。この場合は、床支持部材１０に代えて円筒状ナット（例えば、上記筒状の支持部４６のみをナットとして使用）等のナット部材を用いて位置決めを行う。
【００５３】
上記第二の噴流ノズルの組立てに際しては、支持脚８の支持ボルト３２に板状ナット３６及び円形ナット３８を螺着し、この上部にワッシャー４０を介在させる。そして、この支持ボルト３２に嵌めたワッシャー４０の上に、支持ボルト３２の上から嵌めたノズル部材４（天板６付き）の下部の載置部２０を載せる。
【００５４】
さらに、天板６の中央の孔部２２から上記円筒状ナットを挿入し、これを支持脚８の支持ボルト３２に螺合する。そして、この円筒状ナットの高さ位置（この位置によって、ノズル部材の高さ位置が定まる）を調整する。
次に、支持ボルト３２に螺合した板状ナット３６（及び円形ナット３８）を回して上方に移動（ワッシャー４０とともに）させ、円筒状ナットの下端部とワッシャー４０との間にノズル部材４の載置部２０を挟持した状態で固定する。
この第二の噴流ノズルは、上記ノズル部材４の天板６に設けた中央の孔部２２は、設置後は板材などで塞いでおいてもよい。
【００５５】
この第二の噴流ノズルにおいても、上記噴流ノズル２と同様に、空調ダクトの配置による影響を受けずに、希望する位置に噴流ノズルを配置してその位置の床材に空調空気を吹きつけることができるため、室内をより効率よく輻射冷暖房が行え、またノズル部材のガイドなどにより噴出孔部から空調空気を床材に勢いよくかつ広い範囲に均一に吹き付けることができるため、室内を効率的に輻射冷暖房することができ、さらに噴流ノズルの高さの調整が板状ナットにより容易に行え、また噴流ノズルの取り付けが簡単で施工性にも優れるという効果がある。
【符号の説明】
【００５６】
２  噴流ノズル
４  ノズル部材
６  天板
７，５７  噴出孔部
８  支持脚
１０  床支持部材
１２  床保持具
１４  空調空気導入口
２４  空調空気
２６  ガイド片
３６  板状ナット
５６  移動天板
５８  開孔部
６２  空調ダクト
６４  導入ダクト
６６  床材
【図１】
2012017964.tif 000003
【図２】
2012017964.tif 000004
【図３】
2012017964.tif 000005
【図４】
2012017964.tif 000006
【図５】
2012017964.tif 000007
【図６】
2012017964.tif 000008
【手続補正書】
【提出日】平成25年5月16日(2013.5.16)
【手続補正１】
【補正対象書類名】特許請求の範囲
【補正対象項目名】全文
【補正方法】変更
【補正の内容】
【特許請求の範囲】
【請求項１】
側部に導入ダクトからの空調空気導入口が設けられ、上部に向けて断面がテーパ状に広がったノズル部材と、
上記ノズル部材の上部に被せられ、上方に配置される床材に向けて空調空気を噴出する噴出孔部が周囲に複数設けられた天板と、
ナットを高さ調整可能に取付けた支持脚とを有し、
上記支持脚のナットの上部に、上記ノズル部材を高さ調整可能に配置し、
上記支持脚の上部に、上記床材を支持する床支持部材を高さ調整可能に取り付けたことを特徴とする輻射空調用の噴流ノズル。
【請求項２】
上記ナットを、板状ナットとしたことを特徴とする請求項１記載の輻射空調用の噴流ノズル。
【請求項３】
上記天板の噴出孔部の近傍に、この噴出孔部から吹き出される空調空気の向きを外向きかつ斜め上方に導くガイド片を設けたことを特徴とする請求項１又は２記載の輻射空調用の噴流ノズル。
【請求項４】
上記天板の上部に、この天板と同様な位置に噴出孔部を設けた移動天板を配置し、上記天板に対してこの移動天板を回転移動させることにより、両噴出孔部によって形成される開孔部の大きさを変化させ、この開孔部を通過する空調空気の風量を調整可能にしたことを特徴とする請求項１又は２記載の輻射空調用の噴流ノズル。
【請求項５】
床スラブ上に空調空気を流通させる空調ダクトを配置し、この空調ダクトに空調空気を導入する導入ダクトを連結し、この導入ダクトの他端部を請求項１乃至４の何れかに記載の噴流ノズルの上記空調空気導入口に連結し、
上記導入ダクトを経由して上記噴流ノズルの噴出孔部から噴出される空調空気を、上記床材の裏面部に向けて吹きつけることで輻射冷暖房を行うことを特徴とする輻射空調構造。
【国際調査報告】
2012017964.tif 000009
2012017964.tif 000010
2012017964.tif 000011
2012017964.tif 000012